(57)【要約】【課題】防眩性の付与のない、低鏡面反射率と色味の低減とを両立させることのでき、写り込み及び着色のないフィルムライクで高画質な画像を診断画像として表示することのできる低コストの医療用ディスプレイ及びこれに安定的に表示することができる医療用ディスプレイシステムを提供する。【解決手段】１００〜３００  ｐｐｉ  の解像度を有し、医用画像を表示するマトリクス型ディスプレイであって、５度入射における鏡面反射率の４５０  ｎｍから６５０  ｎｍまでの波長領域での平均値が０．５  ％以下、かつ波長３８０  ｎｍから７８０  ｎｍの領域におけるＣＩＥ  標準光源Ｄ６５の５  度入射光に対する正反射光の色味が、ＣＩＥ１９７６  Ｌ＊  ａ＊  ｂ＊  色空間のａ＊  及びｂ＊  値で、それぞれ−７  ≦ａ＊  ≦７  、かつ−１０≦ｂ＊  ≦１０の範囲内にあり、かつ平坦度がＪＩＳ  Ｂ０６０１−２００１での算術平均高さＲａが０．０２μｍ以下であるとともに、最大高さＲｚが０．０４μｍ以下である面上に設けられた反射防止層をディスプレイ表面の側に少なくとも１層有することにより、上記課題を解決する。【選択図】なし【特許請求の範囲】
【請求項１】
１００〜３００ｐｐｉの解像度を有し、医用画像を表示するマトリクス型ディスプレイであって、
５度入射における鏡面反射率の４５０ｎｍから６５０ｎｍまでの波長領域での平均値が０．５％以下、かつ波長３８０ｎｍから７８０ｎｍの領域におけるＣＩＥ標準光源Ｄ６５の５度入射光に対する正反射光の色味が、ＣＩＥ１９７６Ｌ＊  ａ＊  ｂ＊  色空間のａ＊  およびｂ＊  値で、それぞれ−７≦ａ＊  ≦７、かつ−１０≦ｂ＊  ≦１０の範囲内にあり、かつ平坦度がＪＩＳ  Ｂ  ０６０１−２００１での算術平均高さＲａが０．０２μｍ以下であるとともに、最大高さＲｚが０．０４μｍ以下である面上に設けられた反射防止層をディスプレイ表面の側に少なくとも１層有することを特徴とする医療用ディスプレイ。
【請求項２】
前記反射防止層は、支持体上に形成され、反射防止フィルムの形態であることを特徴とする請求項１に記載の医療用ディスプレイ。
【請求項３】
前記反射防止フィルムは、前記ディスプレイ表面に設けられていることを特徴とする請求項２に記載の医療用ディスプレイ。
【請求項４】
さらに、前記ディスプレイ表面と接触せずに間隙をあけて取り付けられる保護パネルを有し、前記反射防止フィルムまたは前記反射防止層は、前記保護パネルの両面に用いられることを特徴とする請求項１〜３のいずれかに記載の医療用ディスプレイ。
【請求項５】
前記反射防止フィルムは、屈折率ｎＢ  の透明支持体と、この透明支持体上に設けられる屈折率ｎＨ  のハードコート層と、このハードコート層上に設けられる反射防止層とを有し、
前記反射防止層は、透明支持体側から順に、屈折率の異なる屈折率ｎ１の中屈折率層、屈折率ｎ２の高屈折率層および屈折率ｎ３の低屈折率層からなる実質上３副層で形成され、
各副層の屈折率は、以下の関係を満たし、
ｎ３＜ｎＢ  、ｎＨ  ＜ｎ１＜ｎ２
設計波長λ（５００ｎｍ）に対して、前記中屈折率層が下式（Ｉ）を、前記高屈折率層が下式（ＩＩ）を、低屈折率層が下式  （ＩＩＩ）をそれぞれ満足することを特徴とする請求項２〜４のいずれかに記載の医療用ディスプレイ。
λ／４×０．８０＜ｎ１×ｄｌ＜λ／４×１．００      （Ｉ）
λ／２×０．７５＜ｎ２×ｄ２＜λ／２×０．９５      （ＩＩ）
λ／４×０．  ９５＜ｎ３×ｄ３＜λ／４×１  ．０５      （ＩＩＩ）
（但し、ｄｌは中屈折率層の層厚（ｎｍ）、ｄ２は高屈折率層の層厚（ｎｍ）、ｄ３は低屈折率層の層厚（ｎｍ）である）
【請求項６】
前記反射防止層は、前記ディスプレイ表面に設けられていることを特徴とする請求項１に記載の医療用ディスプレイ。
【請求項７】
前記反射防止層は、前記ａ＊  およびｂ＊  値がそれぞれ０≦ａ＊  ≦５、かつ−７≦ｂ＊  ≦０の範囲内にあり、かつ５度入射における鏡面反射率の４５０ｎｍから６５０ｎｍまでの波長領域での平均値が０．３％以下である特性を有することを特徴とする請求項１〜６のいずれかに記載の医療用ディスプレイ。
【請求項８】
前記ディスプレイ表面の表示画面サイズが、１８”〜２３”であることを特徴とする請求項１〜７のいずれかに記載の医療用ディスプレイ。
【請求項９】
モノクロディスプレイであることを特徴とする請求項１〜８のいずれかに記載の医療用ディスプレイ。
【請求項１０】
前記解像度が、１００〜１８０ｐｐｉであり、ＣＲ（コンピューテッドラジオグラフィ）またはフラットパネルセンサで撮影された単純Ｘ線画像を表示することを特徴とする請求項１〜９のいずれかに記載の医療用ディスプレイ。
【請求項１１】
前記解像度が、１８０〜３００ｐｐｉであり、ＣＲ（コンピューテッドラジオグラフィ）またはフラットパネルセンサで撮影されたマンモグラフィ画像を表示することを特徴とする請求項１〜９のいずれかに記載の医療用ディスプレイ。
【請求項１２】
請求項１〜１１のいずれかに記載の医療用ディスプレイおよび輝度計より構成され、電源オフ時の表面反射輝度および電源オン時の表示輝度を測定する機能、測定データを判定し判定結果を表示する機能、前記測定データおよび前記判定結果を保存する機能、前記測定データより階調補正する機能を有することを特徴とする医療用ディスプレイシステム。
【請求項１３】
前記輝度計が、オンライン接続より横成され、前記ディスプレイ画面への輝度測定用テストパターンの表示と同期して輝度測定する機能を有することを特徴とする請求項１２に記載の医療用ディスプレイシステム。
【発明の詳細な説明】
【０００１】
【発明の属する技術分野】
本発明は、医療用ディスプレイおよびこれを用いる医療用ディスプレイシステムに関し、詳しくは、平坦、例えば、所定の平坦度である、すなわち、防眩性が付与されていない反射防止フィルムを備えた医療用ディスプレイおよびこの医療用ディスプレイに表示画像を表示するための医療用ディスプレイシステムに関する。
【０００２】
【従来の技術】
ＭＲＩ装置、ＣＴ装置、ＤＳＡ装置、ＦＣＲ（富士コンピューテッドラジオグラフィ）等のＣＲ装置、マンモグラフィ装置、デジタルＸ線撮影（ＤＲ）装置等の医療用測定（画像撮影）装置で撮影され、処理された診断画像は、通常、Ｘ線フィルムや感光性フィルム等の光透過性画像記録フィルムに記録され、光透過性の画像として再生される。この診断画像が再生されたフィルムは、シャーカステンと呼ばれる光源装置にセットされて、背後から光が照射される。その結果、フィルムに再生された診断画像は、透過像として観察され、診断が行われる。
【０００３】
これに対して、近年では、医療用測定装置で撮影した診断画像を、液晶表示装置（ＬＣＤ）、プラズマディスプレイパネル（ＰＤＰ）、エレクトロルミネッセンスディスプレイ（ＥＬＤ、特に有機ＥＬＤ）または陰極線管表示装置（ＣＲＴ（Ｃａｔｈｏｄｅ  Ｒａｙ  Ｔｕｂｅ））のような様々な画像表示装置（電子シャーカステン）に表示して、診断することも行われている。
このような画像表示装置（ディスプレイ）においては、表示画面（スクリーン）の表面反射を防止し、表示画面に表示された画像のぎらつきを防止して表示画像の観察性を良好にするために、表示画面に防眩性（ＡＧ（Ａｎｔｉ−ｇｌａｒｅ）性）が付与されている。このＡＧ性は、表示画面を構成する部材、例えば、ガラス基板や偏光板の表面または裏面自体を凹凸構造とし、基板や偏光板の表裏面にマット粒子が添加された塗布液を塗布するなどのマット処理を行い、あるいは基板や偏光板の表裏面に形成した透明膜にエンボス加工などの凹凸加工を行うことによって付与される（特許文献１参照）。
【０００４】
このようなディスプレイの表示画面（偏光板）に付与されているＡＧ性は、表示画面への観察者自身や外部の物体の反射光の写り込みに対して良好である。
しかしながら、表示画像の鮮明さ、鮮鋭さが劣化し、ボケる。また、１００〜３００ｐｐｉ（ｐｉｘｅｌ  ｐｅｒ  ｉｎｃｈ）、特に、微細な石灰化等を読影するマンモグラフィ画像読影用に使用可能な２００ｐｐｉのように高精細マトリクス構造を持つＬＣＤのような医療用ディスプレイになると、ぎらつきが目立つようになる。特に、医療用モノクロディスプレイで画像障害が顕著であり、ＡＧ性により画像が前後方向にずれて、多重画像のように見え、非常に目が疲れ、読影しずらい。
この他にも、ＡＧ性は、周囲光に対する拡散反射率が大きいので、画面が白味を帯びて、黒浮きが発生し、コントラストが低下する。医用画像は、濃淡のダイナミックレンジが広いので、コントラストの低下は、診断する上で大きな支障となる。
【０００５】
なお、従来のシャーカステンでの読影診断の対象となるフィルムの透過像は、シャーカステンの輝度や観察環境による若干の違いはあるものの、基本的には同じ画像として観察できるのに対し、ディスプレイの表示画像は、ディスプレイの種類や状態や経時的な変化等によって変動し、誤診を招く虞があるため、ディスプレイの表示画像を読影診断の対象とする際には、ディスプレイの状態を所定の状態に保ち、ディスプレイの表示画像を適正な所定の状態に一定に保つ必要がある。また、ディスプレイの表示画像の見えは、ディスプレイの表示画像の状態が同じであっても、観察環境によって変動してしまう。
このため、ＤＩＣＯＭ（医療用画像データや波形データ等の伝送規格”Ｄｉｇｉｔａｌ  Ｉｍａｇｉｎｇ  ａｎｄ  ＣＯｍｍｕｎｉｃａｔｉｏｎ  ｉｎ  Ｍｅｄｉｃｉｎｅ”）では、診断画像をディスプレイに表示する際に、階調補正を行って、ＧＳＤＦ（グレースケール標準表示関数：Ｇｒａｙｓｃａｌｅ  Ｓｔａｎｄａｒｄ  Ｄｉｓｐｌａｙ  Ｆｕｎｃｔｉｏｎ  ）で表示するように規定しているが、階調補正をする時には、ディスプレイの輝度のみならず、観察環境をも考慮し、周囲光輝度をも取り込んで補正するように規定している。その結果、コントラストが低下すると、医用画像では、濃淡の広いダイナミックレンジが要求されるにもかかわらず、周囲光輝度込みの階調補正によって、表示される医用画像のダイナミックレンジを狭くする結果となるという問題もある。
【０００６】
一方、ディスプレイの表示画面（偏光板）に付与されているＡＧ性を無くす（未処理にする）と、表示画面の鏡面反射率が大きい（４％程度）ため、写り込み性能が劣るが、鮮明かつ鮮鋭で、ぎらつきのないフィルムの透過像のような画像が得られる。このため微細な濃淡構造を読影する医療用モノクロＬＣＤにおいては、「鮮明かつ鮮鋭で、ぎらつきのないフィルムのような画像」を得ることを優先して、ディスプレイの表示画面のＡＧ性を無くしている。一方、表示画面への観察者自身や外部の物体の写り込みを低減するには、周囲光を抑えればよいが、それでも自分自身の発光のため、観察者自身からの反射光の写り込みが発生するという問題がある。特に、医療現場では、観察者が白衣を着用しているため、余計に写り込みやすいという問題がある。
【０００７】
このため、ディスプレイの表示画面に反射防止性（ＡＲ（Ａｎｔｉ−ｒｅｆｌｅｃｔｉｏｎ）  性）を付与することが考えられる。
従来からＡＲ性を付与するための反射防止（ＡＲ）フィルムとして、金属酸化物の透明薄膜を積層させた多層膜が用いられている。複数の透明薄膜を用いるのは、可視域でなるべく広い波長領域での光の反射を防止するためである。このような金属酸化物の透明薄膜は、蒸着法、例えば、化学蒸着（ＣＶＤ）法や物理蒸着（ＰＶＤ）法、特に物理蒸着法の一種である真空蒸着法やスパッタ法などにより形成されている。これらの蒸着法では、得られるＡＲフィルムの鏡面反射率が小さい（０．５％以下）ため、写り込み性能は良いものの、高コストであるばかりか、着色が生じ、色味が良くないという重大な問題がある。すなわち、これらの蒸着法によって製造されているＡＲフィルムは、４５０ｎｍから６５０ｎｍまでの波長領域での平均反射率が０．５％以下、特に０．４％以下のものは写り込み性能はよいものの、長波長側と短波長側の反射特性が悪く（特に短波長側）、このため色のニュートラル性が悪く、反射光の色味が赤紫色から青紫色に強く着色し、表示品位を悪化させてしまうという問題がある。また蒸着法やスパッタ法による製膜方法は、バッチ処理のため、生産性が低いため高コストであるという問題もある。
【０００８】
一方、従来のＡＲ性付与法の１つである塗布法では、無機微粒子やポリマーを単層塗布または多層塗布することによりＡＲフィルムを形成している。この塗布法は、ロールトゥロールによる大面積連続製造が可能なため低コストであるが、製造されるＡＲフィルムの鏡面反射率が１〜２％程度となり、平均反射率が１％を超えてしまい、ＡＲ性能が不足しているという重大な問題がある。なお、従来の塗布法でも、平均反射率０．５％以下を実現しているものもあるが、蒸着法の場合と同様に、その反射スペクトルより反射光の色味を計算すると、あるいは作成した実サンプルを目視判断すると、やはり反射光の色味が赤紫色に強く着色して、表示品質を損なってしまうという問題がある。また、反射光の色味が強いために、反射防止層の僅かな膜厚ムラによって色味が大きくシフトし、ムラとして視認されてしまうという問題がある（特許文献２参照）。
このため、このため微細な濃淡構造を読影する医療用ディスプレイ、特に医療用モノクロＬＣＤにおいては、表示画面へのＡＲ性の付与は行われていないのが現状である。
【０００９】
【特許文献１】
特開２０００−２７５４０４号公報
【特許文献２】
特開平１１−６９０２号公報
【００１０】
【発明が解決しようとする課題】
本発明の課題は、上記従来の技術の問題点を解消し、防眩性が付与されておらず、低鏡面反射率と色味の低減とを両立させることのできる性能の良い反射防止（ＡＲ）フィルムを用いることにより、防眩性の付与のない、写り込みおよび着色のないフィルムライクで高画質な画像を診断画像として表示することを、低コストで実現することのできる医療用ディスプレイおよびこの医療用ディスプレイに表示画像を診断画像として安定的に表示することができる医療用ディスプレイシステムを提供することにある。
【００１１】
【課題を解決するための手段】
上記課題を解決するために、本発明の第１の態様は、１００〜３００ｐｐｉの解像度を有し、医用画像を表示するマトリクス型ディスプレイであって、５度入射における鏡面反射率の４５０ｎｍから６５０ｎｍまでの波長領域での平均値が０．５％以下、かつ波長３８０ｎｍから７８０ｎｍの領域におけるＣＩＥ標準光源Ｄ６５の５度入射光に対する正反射光の色味が、ＣＩＥ１９７６Ｌ＊  ａ＊  ｂ＊  色空間のａ＊  およびｂ＊  値で、それぞれ−７≦ａ＊  ≦７、かつ−１０≦ｂ＊  ≦１０の範囲内にあり、かつ平坦度がＪＩＳ  Ｂ  ０６０１−２００１での算術平均高さＲａが０．０２μｍ以下であるとともに、最大高さＲｚが０．０４μｍ以下である面上に設けられた反射防止層をディスプレイ表面の側に少なくとも１層有することを特徴とする医療用ディスプレイを提供するものである。
【００１２】
ここで、前記反射防止層は、支持体上に形成され、反射防止フィルムの形態であるのが好ましい。
また、前記反射防止フィルムは、前記ディスプレイ表面に設けられているのが好ましい。
また、さらに、前記ディスプレイ表面と接触せずに間隙をあけて取り付けられる保護パネルを有し、前記反射防止フィルムまたは前記反射防止層は、前記保護パネルの両面に用いられるのが好ましい。
【００１３】
また、前記反射防止フィルムは、屈折率ｎＢ  の透明支持体と、この透明支持体上に設けられる屈折率ｎＨ  のハードコート層と、このハードコート層上に設けられる反射防止層とを有し、前記反射防止層は、透明支持体側から順に、屈折率の異なる屈折率ｎ１の中屈折率層、屈折率ｎ２の高屈折率層および屈折率ｎ３の低屈折率層からなる実質上３副層で形成され、各副層の屈折率は、以下の関係を満たし、
ｎ３＜ｎＢ  、ｎＨ  ＜ｎ１＜ｎ２
設計波長λ（５００ｎｍ）に対して、前記中屈折率層が下式（Ｉ）を、前記高屈折率層が下式（ＩＩ）を、低屈折率層が下式  （ＩＩＩ）をそれぞれ満足するのが好ましい。
λ／４×０．８０＜ｎ１×ｄｌ＜λ／４×１．００      （Ｉ）
λ／２×０．７５＜ｎ２×ｄ２＜λ／２×０．９５      （ＩＩ）
λ／４×０．  ９５＜ｎ３×ｄ３＜λ／４×１  ．０５      （ＩＩＩ）
（但し、ｄｌは中屈折率層の層厚（ｎｍ）、ｄ２は高屈折率層の層厚（ｎｍ）、ｄ３は低屈折率層の層厚（ｎｍ）である）
【００１４】
また、前記反射防止層は、前記ディスプレイ表面に設けられているのが好ましい。
また、前記反射防止層は、前記ａ＊  およびｂ＊  値がそれぞれ０≦ａ＊  ≦５、かつ−７≦ｂ＊  ≦０の範囲内にあり、かつ５度入射における鏡面反射率の４５０ｎｍから６５０ｎｍまでの波長領域での平均値が０．３％以下である特性を有するのが好ましい。
【００１５】
また、前記ディスプレイ表面の表示画面サイズが、１８”〜２３”であるのが好ましい。
また、モノクロディスプレイであるのが好ましい。
また、前記解像度が、１００〜１８０ｐｐｉであり、ＣＲ（コンピューテッドラジオグラフィ）またはフラットパネルセンサで撮影された単純Ｘ線画像を表示するのが好ましい。
また、前記解像度が、１８０〜３００ｐｐｉであり、ＣＲ（コンピューテッドラジオグラフィ）またはフラットパネルセンサで撮影されたマンモグラフィ画像を表示するのが好ましい。
【００１６】
また、上記課題を解決するために、本発明の第２の態様は、上記第１の態様の医療用ディスプレイおよび輝度計より構成され、電源オフ時の表面反射輝度および電源オン時の表示輝度を測定する機能、測定データを判定し判定結果を表示する機能、前記測定データおよび前記判定結果を保存する機能、前記測定データより階調補正する機能を有することを特徴とする医療用ディスプレイシステムを提供するものである。
ここで、前記輝度計が、オンライン接続より横成され、前記ディスプレイ画面への輝度測定用テストパターンの表示と同期して輝度測定する機能を有するのが好ましい。
【００１７】
【発明の実施の形態】
以下、本発明に係る医療用ディスプレイおよび医療用ディスプレイシステムを添付の図面に示す好適実施形態に基づいて以下に詳細に説明する。
以下においては、本発明の医療用ディスプレイとして、液晶表示装置を代表的な実施形態として説明するが、本発明はこれに限定されず、マトリクス型ディスプレイであればどのようなものでも良く、プラズマディスプレイパネル（ＰＤＰ）、エレクトロルミネッセンスディスプレイ（ＥＬＤ、特に有機ＥＬＤ）、電界発光ディスプレイ等の様々な画像表示装置に適用可能であるのはいうまでもない。また、医療用ディスプレイは、カラーディスプレイでもモノクロディスプレイでもよく、さらに、カラーディスプレイによってモノクロ画像を表示するものであってもよい。
【００１８】
図１に、本発明の医療用ディスプレイの一実施形態の側面模式図を示す。図２に、図１に示す医療用ディスプレイの液晶表示部の一実施形態の断面模式図を示し、図３に、図２に示す液晶表示部の偏光板および図１に示す医療用ディスプレイの一実施形態の断面模式図を示す。
図１に示される医療用ディスプレイ１０は、ＭＲＩ（診断）装置、ＮＭＲ（診断）装置、ＣＴ（診断）装置、ＤＳＡ（診断）装置、ＦＣＲ（富士コンピューテッドラジオグラフィ）等のＣＲ（診断）装置、マンモグラフィ（乳腺撮影、診断）装置、デジタルＸ線撮影（ＤＲ、診断）装置等の医療用測定（画像撮影診断）装置によって撮影され、処理された医用画像の画像データを受け取り、その医用画像を医療用診断画像として表示する１００〜３００ｐｐｉ（ｐｉｘｅｌ  ｐｅｒ  ｉｎｃｈ）の解像度を有するマトリクス型ディスプレイであって、基本的に、バックライト部１２と、液晶表示部（以下、単にＬＣＤ部ともいう）１４と、反射防止（以下、ＡＲともいう）フィルム１６とを有する。なお、医療用ディスプレイ（以下、単にディスプレイという）１０は、この他、ＬＣＤ部１４への画像表示を制御する表示制御部  （図示せず）を備えていることはもちろんである。
【００１９】
バックライト部１２は、ディスプレイ１０の光源として、ＬＣＤ部１４の背後からその全面に均一な光を照射するためのもので、ＬＣＤ部１４の表示画面と略同一の光射出面（発光面）を持つ面状光源であって、冷陰極線管等の棒状ランプを収納するランプ収納部１２ａと、棒状ランプから射出された光を所定方向に導入する導光板（図示せず）、導光板に導入された光を略直交する方向に反射させる反射シート（図示せず）および反射シートで反射された光を均一化する拡散シート（図示せず）やプリズムシート等を有するバックライトアセンブリ１２ｂとを有する。
【００２０】
本発明に用いられるバックライト部１２は、特に制限的ではなく、ランプ収納部１２ａ内の冷陰極線管等が発光する光を、導光板、反射シート、拡散シートおよびプリズムシートなどからなるバックライトアセンブリ１２ｂを用いて均一に拡散させるようにした面状光源であればよく、従来公知のＬＣＤ用バックライトユニットを用いることができる。本発明に用いられるバックライト部１２は、所要の光強度の光を射出できる面状光源であれば、ＬＥＤアレイ光源や有機ＥＬパネルや無機ＥＬパネル等を用いる光源などを利用するものであっても良い。
【００２１】
液晶表示部（ＬＣＤ部）１４は、デジタル記録された医用画像を診断画像として表示するための透過型画像表示手段であって、上述した種々の医療用測定装置によって撮影され、処理された診断画像の画像データを受け取り、その画像を表示する部分である。なお、カラー表示用ＬＣＤであっても、モノクロ表示用ＬＣＤであってもよく、さらにカラー表示用ＬＣＤにモノクロ画像を表示するものであってもよい。なお、本発明の効果を好適に得られる等の点で、ディスプレイ１０は、ＣＲ装置、マンモグラフィ装置、ＤＲ装置等のＸ線を用いる医療用測定装置によって測定（撮影）されたモノクロ診断画像の画像データを受けとり、モノクロの画像を表示するものであるのが好ましい。より好ましくは、本発明のディスプレイ１０は、ＣＲ装置またはフラットパネルセンサで撮影された単純Ｘ線画像やマンモグラフィ画像を表示するものであるのが好ましい。
【００２２】
図２に、ＬＣＤ部１４の一実施形態の断面図を模式的に示す。
ＬＣＤ部１４は、同図に示すように、バックライト部１２の側からＡＲフィルム１６の側に向かって（図１参照）、偏光板（フィルム状偏光材料または偏光フィルム）１８と、ガラス基板２０と、電極２２と、液晶層２４と、電極２６と、ガラス基板２８と、偏光板３０とを積層するものである。すなわち、ＬＣＤ部１４は、液晶層２４をその両側から、ガラス基板２０、２８および偏光板１８、３０で挟持する構造を有するものであるが、周知のように、この他、図示しないが、ブラックマトリクスやＲＧＢカラーフィルタや配向膜等を有しているのはいうまでもない。ここで、例えばＴＦＴ型ＬＣＤの場合、電極２６は、共通電極であり、ガラス基板２８との間にブラックマトリクスやＲＧＢカラーフィルタが配置され、電極２２は表示電極およびゲート電極等からなる。なお、ガラス基板２０および２８の代りに、樹脂基板等を用いてもよい。
【００２３】
ＬＣＤ部１４の構造は、１００〜３００ｐｐｉの解像度を有し、医用画像の表示が可能であって、マトリクス構造を有するものであれば、特に制限的ではなく、従来公知の構成および構成要素を持ち、従来公知の液晶表示モードを持ち、従来公知の駆動方式のＬＣＤを用いることができる。例えば、ＬＣＤ部１４の液晶表示モードとしては、ＴＮモード、ＳＴＮモードや、ＣＳＨモードや、ＦＬＣや、ＯＣＢモードなどの偏光板を用いる液晶表示モードを挙げることができる。ＬＣＤ部１４の駆動方式としては、マトリクス駆動方式が適用されるが、ＴＦＴ型やダイオード型などのアクティブマトリクス駆動方式の他、ＸＹのストライプ電極からなる単純マトリクス駆動方式等を挙げることもできる。
【００２４】
本発明のディスプレイ１０において、画像表示部であるＬＣＤ部１４の解像度を１００〜３００ｐｐｉに限定するのは、診断画像として、単純Ｘ線画像を表示するのに好ましい画面サイズである１８”（インチ）〜２３”（インチ）の画面サイズを考慮した場合、１００ｐｐｉ未満では、診断画像には解像度が低く、表示された医用画像がピクセリゼーションやジャギーの大きな画像になり、微細な線構造や石灰化などの読影が困難となる虞があり、３００ｐｐｉ超では、高精細過ぎて、ＬＣＤ部１４をマトリクス駆動するトランジスタのゲート材料の選択が難しくなり、高価となるからである。また、３００ｐｐｉを超えると、開口率が極端に小さくなり、輝度が不足するからである。
【００２５】
なお、本発明のディスプレイ１０のＬＣＤ部１４は、１００〜３００ｐｐｉ（ＵＸＧＡ、ＱＸＧＡ、ＱＳＸＧＡ、ＱＵＸＧＡなど）の高精細マトリクス構造を持つ必要があるが、ＣＲ装置またはフラットパネルセンサで撮影された単純Ｘ線画像を表示する場合には、１００〜１８０ｐｐｉの解像度とするのが好ましく、特に、微細な石灰化等を読影する必要のある、ＣＲ装置またはフラットパネルセンサで撮影されたマンモグラフィ画像を表示する場合には、１８０〜３００ｐｐｉの解像度とするのが好ましい。
また、本発明においては、ＬＣＤ部１４の表示画面サイズは、１００〜３００ｐｐｉの高精細マトリクス構造であっても、微細な石灰化等の変化を検知できるので、１８”（インチ）〜２３”（インチ）とするのが好ましい。
【００２６】
なお、解像度が１００〜１８０ｐｐｉのＬＣＤモニタの好適例としては、ナナオ社のＦＣ２０９０（パネルサイズ２０．８インチ、画素数ＱＸＧＡ＝２０４８×１５３６、ピクセルサイズ２０７μｍ＝１２３ｐｐｉ、１つのピクセル内にサブピクセルを有するモノクロ、ＩＰＳ（横電界）方式のディスプレイ）を挙げることができる。また、解像度が１８０〜３００ｐｐｉのＬＣＤモニタの好適例としては、ＩＤ−ｔｅｃｈ社のＭＤ２２２９２（パネルサイズ２２．２インチ、画素数ＱＸＧＡ−Ｗ＝３８４０×２４００、ピクセルサイズ１２４．５μｍ＝２０４ｐｐｉ、１つのピクセル内にＲＧＢサブピクセルを有するカラー、ＩＰＳ（横電界）方式のディスプレイ）を挙げることができる。
【００２７】
以上のような構成を有するＬＣＤ部１４では、バックライト部１２から投影された光が、偏光板１８に入射し、液晶層２４を通過し、液晶層２４によって画像  （ポジ画像）状として形成され、透過光となって偏光板３０から出射する。
ここで、偏光板３０は、ＬＣＤ部１４のＡＲフィルム１６が配置される側の最も外側に、すなわち、透過光の出射側の最も外側に配されるが、この偏光板３０は、通常、その表面または裏面、好ましくはその裏面が、マット化（粗面化）され、防眩性が付与された保護膜で覆われているものである。本発明においては、偏光板３０は、マット化されず、防眩性が付与されていない平滑な表面および裏面を有する保護膜で覆われているのが好ましい。
【００２８】
図３は、ＬＣＤ部１４のガラス基板２８に接着された偏光板３０およびこれに接着されたＡＲフィルム１６の一実施形態の構造を示す断面模式図である。
同図に示すように、偏光板３０は、接着層３２を介してガラス基板２８に接着され、ガラス基板２８（接着層３２）の側からＡＲフィルム１６側に向かって、ＴＡＣフィルム等の支持体層３４と、偏光機能を持つＰＶＡ／Ｉ（ポリビニルアルコール（ＰＶＡ）フィルムにヨウ素（Ｉ）を染色・延伸させたもの）等の偏光膜３６と、ＴＡＣフィルム等の支持体層３８と、最上層の保護膜となるハードコート層（以下、ＨＣ層ともいう）４０とを有する。
ここで、本発明においては、偏光板３０は、従来公知の支持体層３４および３８、偏光膜３６は、上述のものの他、従来公知のものを用いれば良い。
なお、本発明においては、ＨＣ層４０も、ＬＣＤの保護膜として機能するものであれば、どのようなものでも良いが、従来公知のＬＣＤ部１４として、ＩＰＳ方式のＬＣＤを用いる場合には、ＨＣ層４０は、導電性が付与されている必要がある。
【００２９】
また、本発明では、ＨＣ層４０の両表面（表裏面）は、マット化されず、平滑で、防眩性が付与されておらず、ＬＣＤ部１４から透過光が散乱の少ない状態で出射されるように作用するのが好ましい。なお、この場合には、透過光の散乱を極力防止するために、偏光板３０のＨＣ層４０の透過光の出射側の表面が平滑面（平坦面）に、具体的には、平滑面の算術平均高さ（Ｒａ，ＪＩＳ  Ｂ  ０６０１−２００１）を０．０２μｍ以下とする。算術平均高さは、より好ましくは、０．０１μｍ以下であるのがよい。このとき、平滑面の最大高さ（Ｒｚ，ＪＩＳＢ  ０６０１−２００１）は、０．０４μｍ以下とする。平滑面の最大高さは、より好ましくは、０．０２μｍ以下であるのがよい。なお、ＨＣ層４０が形成される支持体層３８の表面は、平滑面とすることが好ましい。この場合、支持体層３８の表面は、算術平均高さ（Ｒａ，ＪＩＳ  Ｂ  ０６０１−２００１）を０．０２μｍ以下とする。算術平均高さは、より好ましくは、０．０１μｍ以下であるのがよい。このとき、平滑面の最大高さ（Ｒｚ，ＪＩＳ  Ｂ  ０６０１−２００１）は、０．０４μｍ以下とする。平滑面の最大高さは、より好ましくは、０．０２μｍ以下であるのがよい。
【００３０】
ＡＲフィルム１６は、本発明の最も特徴とする部分であって、ＬＣＤ部１４上に設けられるものである。
ここで、ＡＲフィルム１６は、５度入射における鏡面反射率の４５０ｎｍから６５０ｎｍまでの波長領域での平均値が０．５％以下である。これによって、ディスプレイ１０の表面での外光の反射による視認性の低下を充分なレベルまで防止できる。
【００３１】
また、ＡＲフィルム１６は、波長３８０ｎｍから７８０ｎｍの領域におけるＣＩＥ標準光源Ｄ６５の５度入射光に対する正反射光の色味が、ＣＩＥ１９７６Ｌ＊  ａ＊  ｂ＊  色空間のａ＊  およびｂ＊  値で、それぞれ−７≦ａ＊  ≦７、かつ−１０≦ｂ＊  ≦１０の範囲内にある。このようにすることで、従来の多層反射防止フィルムで問題となっていた赤紫色から青紫色の反射光の色味が低減される。また、このように、反射光の色味が大幅に低減されたことで、反射防止層（ＡＲ層４８図３参照）の膜厚ムラに起因する反射光の色味ムラも大幅に低減される。さらに好ましくは、上記反射率が０．３％以下であり、かつ０≦ａ＊  ≦５、かつ−７≦ｂ＊  ≦０の範囲内とするのが良い。こうすることで、反射光の視認性および色味とも大幅に低減され、液晶表示装置（例えば、ＬＣＤ部１４）に適用した場合、室内の蛍光灯のような、輝度の高い外光が僅かに映り込んだ場合の色味が、ニュートラルとなり、気にならないレベルになる。
【００３２】
さらに、ＡＲフィルム１６は、防眩性が付与されていないものである。これによって、１００〜３００ｐｐｉの、特に微細な石灰化等を読影するマンモグラフィ画像読影用に使用可能な高精細マトリクス構造を持つ医療用ディスプレイにおいても、ぎらつきが目立たず、表示画像の鮮明さや鮮鋭さの劣化やボケがなく、表示画像が前後方向にずれて、多重画像のように見えることが無い。また、画面が白味を帯びて、黒浮きが発生することが無いし、コントラストも低下しないので、診断に支障をきたすことが無い。
【００３３】
このような特性を持つＡＲフィルム１６は、具体的には、図３に示すように、ＬＣＤ部１４の最外側のＨＣ層４０に接着層４２を介して接着され、ＨＣ層４０（接着層４２）の側から外側に向かって、ＴＡＣフィルムなどの透明支持体層４４と、ハードコート層（以下、ＨＣ層ともいう）４６と、ＡＲ層４８とを有する。
また、図４に示すように、ＡＲ層４８は、ＨＣ層４６側から外側に向かって、中屈折率層５０と、高屈折率層５２と、低屈折率層５４との実質に３副層を有する。
【００３４】
上述したような低反射率で、かつ色味が低減された反射率特性実現するためには、ＡＲフィルム１６は、透明支持体層４４の屈折率をｎＢ  、この透明支持体層４４上に設けられるＨＣ層４６の屈折率をｎＨ  とし、このＨＣ層４６上に設けられる反射防止（ＡＲ）層４８の３副層の内の中屈折率層５０の屈折率をｎ１、高屈折率層５２の屈折率をｎ２、低屈折率層５４の屈折率をｎ３とする時、ＡＲ層４８の各副層の屈折率は、以下の関係を満たすのが好ましい。
ｎ３＜ｎＢ  、ｎＨ  ＜ｎ１＜ｎ２
また、ＡＲ層４８の各副層においては、設計波長λ（５００ｎｍ）に対して、中屈折率層５０が下記式（Ｉ）を、高屈折率層５２が下記式（ＩＩ）を、低屈折率層５４が下記式  （ＩＩＩ）をそれぞれ満足たすのが好ましい。
λ／４×０．８０＜ｎ１×ｄｌ＜λ／４×１．００      （Ｉ）
λ／２×０．７５＜ｎ２×ｄ２＜λ／２×０．９５      （ＩＩ）
λ／４×０．  ９５＜ｎ３×ｄ３＜λ／４×１  ．０５      （ＩＩＩ）
但し、ｄｌは中屈折率層５０の層厚（ｎｍ）、ｄ２は高屈折率層５２の層厚（ｎｍ）、ｄ３は低屈折率層５４の層厚（ｎｍ）である。
【００３５】
例えば、透明支持体層４４が、トリアセチルセルロ−ス（屈折率＝１．４９）である時には、ｎ１は１．６０〜１．６５、ｎ２は１．８５〜１．９５、ｎ３は１．３５〜１．４５の屈折率であるのが好ましく、ポリエチレンテレフタレ−ト（屈折率＝１．６６）である時には、ｎ１は１．６５〜１．７５、ｎ２は１．８５〜２．０５、ｎ３は１．３５〜１．４５の屈折率である必要がある。
なお、このような屈折率を有する中屈折率層５０や高屈折率層５２の素材が選択できない場合には、設定屈折率よりも高い屈折率を有する層と低い屈折率を有する層を複数層組み合わせた等価膜の原理を用いて、実質的に設定屈折率を持つ中屈折率層５０あるいは高屈折率層５２と光学的に等価な層を形成できることは公知であり、上述のようなＡＲフィルム１６の反射率特性を実現するためにも用いることができる。本発明において、「実質的に３層」とは、このような等価膜を用いた４層または５層、もしくはこれ以上のＡＲ層４８も含むものである。
【００３６】
ここで、透明支持体層４４としては、プラスチックフィルムを用いるのが好ましい。プラスチックフィルムの材料としては、例えば、トリアセチルセルロース（ＴＡＣ）等のセルロースエステル、ポリアミド、ポリカーボネート、ポリエステル、ポリスチレン、ポリオレフィン、ポリスルホン、ポリエーテルスルホン、ポリアリレート、ポリエーテルイミド、ポリメチルメタクリレートおよびポリエーテルケトン等を挙げることができる。
また、透明支持体層４４の光透過率は、８０％以上であるのが好ましく、８６％以上であるのがさらに好ましい。透明支持体層４４のヘイズは、２．０％以下であるのが好ましく、１．０％以下であるのがさらに好ましい。透明支持体層４４の屈折率は、１．４〜１．７であるのが好ましい。
【００３７】
特に、液晶表示装置（ＬＣＤ部１４）や有機ＥＬ表示装置等に用いるために、ＡＲフィルム１６を、偏光板（例えば、ＬＣＤ部１４の偏光板３０）に張り付ける場合や表面保護フィルムの片側として用いる場合には、透明支持体層４４として、トリアセチルセルロース（ＴＡＣ、屈折率＝１．４９）を用いるのが好ましい。トリアセチルセルロースフィルムとしては、ＴＡＣ−ＴＤ８０Ｕ（富士写真フィルム（株）製）等の公知のものを好ましく用いることができる。なお、ＬＣＤ部１４の偏光板３０の支持体層３４および３８も、透明支持体層４４と同様のものを用いることができる。
また、平面ＣＲＴやＰＤＰ等に用いるために、ＡＲフィルム１６をガラス基板等に張り合わせて用いる場合には、透明支持体層４４として、ポリエチレンテレフタレート（ＰＥＴ、屈折率＝１．６６）、あるいはポリエチレンナフタレートを用いるのが好ましい。
【００３８】
次に、ＨＣ（ハードコート）層４６は、透明支持体層４４に耐傷性を付与するために設ける。ＨＣ層４６は、透明支持体層４４とその上の層との接着を強化する機能も有する。ＨＣ層４６は、多官能アクリルモノマー、ウレタンアクリレート、エポキシアクリレート等のオリゴマー、各種重合開始剤を溶媒に溶解した組成物に、高強度化等の必要に応じてシリカ、アルミナ等の無機フィラーを添加して得られた塗布組成物の塗布、溶媒の乾燥、熱および／または電離放射線により硬化することで好ましく形成される。なお、ＬＣＤ部１４の偏光板３０のＨＣ層４０も同様なものを用いることができる。
【００３９】
ＡＲ層４８の３つの副層の内の中屈折率層５０および高屈折率層５２は、屈折率の高い無機微粒子、熱または電離放射線硬化性のモノマー、重合開始剤および溶媒を含有する塗布組成物の塗布、溶媒の乾燥、熱および／または電離放射線による硬化によって形成される。無機微粒子としては、Ｔｉ、Ｚｒ、Ｉｎ、Ｚｎ、Ｓｎ、Ｓｂの酸化物から選ばれた少なくとも１種の金属酸化物からなるものが好ましい。このようにして形成された中屈折率層５０および高屈折率層５２は、高屈折率を有するポリマー溶液を塗布、乾燥したものと比較して、耐傷性や密着性に優れる。分散液安定性や、硬化後の膜強度等を確保するために、多官能（メタ）アクリレートモノマーとアニオン性基含有（メタ）アクリレート分散剤とが塗布組成物中に含まれるのが好ましい。
【００４０】
無機微粒子の平均粒径は、コールターカウンター法で測定したときの平均粒径で、１から１００ｎｍであるのが好ましい。１ｎｍ未満では、比表面積が大きすぎるために、分散液中での安定性に乏しく、好ましくない。１００ｎｍ超では、バインダとの屈折率差に起因する可視光の散乱が発生し、ヘイズが大きくなり好ましくない。中屈折率層５０および高屈折率層５２のヘイズは、３％以下であるのが好ましく、０．５％以下であるのがさらに好ましい。
【００４１】
低屈折率層５４には、熱または電離放射線により硬化する含フッ素樹脂が用いられる。この硬化性の含フッ素樹脂としては、例えば、パーフルオロアルキル基含有シラン化合物（例えば（ヘプタデカフルオロ−１、１、２、２−テトラデシル）トリエトキシシラン）等の他、含フッ素モノマーと架橋性基付与のためのモノマーを構成単位とする含フッ素共重合体が挙げられる。
【００４２】
含フッ素モノマー単位の具体例としては、例えば、へキサフルオロプロピレン等のフルオロオレフィン類、（メタ）アクリル酸の部分または完全フッ素化アル卑ルエステル誘導体類、完全または部分フッ素化ビニルエーテル類等であり、これらのなかでも低屈折率、モノマーの扱いやすさの観点で、特にへキサフルオロプロピレンが好ましい。
架橋性基付与のためのモノマーとしてはグリシジルメタクリレートのように分子内にあらかじめ架橋性官能基を有する（メタ）アクリレートモノマーの他、カルボキシル基やヒドロキシル基、アミノ基、スルホン酸基等を有する（メタ）アクリレートモノマーが挙げられる。
また上記含フッ素モノマーを構成単位とするポリマーだけでなく、フッ素原子を含有しないモノマーとの共重合体を用いてもよい。
【００４３】
また、低屈折率層５４の形成に用いる含フッ素樹脂には、耐傷性を付与するために、Ｓｉの酸化物超微粒子を添加して用いるのが好ましい。反射防止性の観点からは、屈折率が低いほど好ましいが、含フッ素樹脂の屈折率を下げていくと、耐傷性が悪化する。そこで、含フッ素樹脂の屈折率とＳｉの酸化物超微粒子の添加量を最適化することにより、耐傷性と低屈折率のバランスの最も良い点を設定すればよい。
Ｓｉの酸化物超微粒子としては、市販の有機溶剤に分散されたシリカゾルをそのまま塗布組成物に添加しても、市販の各種シリカ紛体を有機溶剤に分散して使用してもよい。
【００４４】
ＡＲフィルム１６には、さらに、前方散乱層、帯電防止層、下塗り層や保護層を設けてもよい。
前方散乱層は、液晶表示装置に適用した場合の、上下左右方向に視角を傾斜させたときの視野角改良効果を付与するために設ける。上記ＨＣ層４６中に屈折率の異なる微粒子を分散することで、ハードコート機能と兼ねることもできる。
【００４５】
ＡＲフィルム１６の各層は、塗布により形成することができる。ＡＲフィルム１６の各層を塗布する方法としては、例えば、デイップコート法、エアーナイフコート法、カーテンコート法、ローラーコート法、ワイヤーバーコート法、グラビアコート、マイクログラビア法やエクストルージョンコート法を挙げることができる。これらの塗布法のうち、ウェット塗布量を最小化することで乾燥ムラをなくす観点で、マイクログラビア法およびグラビア法が好ましく、幅方向の膜厚均一性の観点で特にグラビア法が好ましい。また、２層以上の層を同時に塗布してもよい。
【００４６】
本発明においては、塗布組成物のウェット塗布によって多層ＡＲフィルム１６を形成する場合、背景の写り込みをぼかすための防眩性を付与してはならない。すなわち、ＡＲフィルム１６の表面、特に、ＨＣ層４６やＡＲ層４８の表面は（好ましくは裏面も）、一般に用いられているようなマット粒子等を含有する表面凹凸を有するＨＣ層４６の上にＡＲ層４８を形成したりせず、あるいは、ＡＲ層４８形成後にエンボス法等によって表面凹凸構造を形成したりせずに、平滑面とする必要がある。
【００４７】
本発明では、ＡＲフィルム１６の両表面、特に、ＨＣ層４６やＡＲ層４８の両表面（表裏面）は、マット化されず、平滑で、防眩性が付与されておらず、ＬＣＤ部１４から透過光が散乱の少ない状態で出射されるように作用するのが好ましい。なお、この場合には、透過光の散乱を極力防止するために、ＡＲフィルム１６のＡＲ層４８の透過光の出射側の表面が平滑面（平坦面）に、具体的には平滑面の算術平均高さ（Ｒａ，ＪＩＳ  Ｂ  ０６０１−２００１）を０．０２μｍ以下とする。算術平均高さは、より好ましくは、０．０１μｍ以下であるのがよい。また、平滑面の最大高さ（Ｒｚ，ＪＩＳ  Ｂ  ０６０１−２００１）は、０．０４μｍ以下とする。平滑面の最大高さは、より好ましくは、０．０２μｍ以下であるのがよい。
このような、平滑面とすることにより、ＡＲフィルム１６の膜厚均一性が良化するため、色味のムラも低減され、またＡＲ性能も向上するので好ましい。
【００４８】
なお、ＨＣ層４６が形成される透明支持体層４４の表面は、平滑面とすることが好ましい。この場合、支持体層４４の表面は、算術平均高さ（Ｒａ，ＪＩＳ  Ｂ  ０６０１−２００１）を０．０２μｍ以下とする。算術平均高さは、より好ましくは、０．０１μｍ以下であるのがよい。このとき、平滑面の最大高さ（Ｒｚ，ＪＩＳ  Ｂ  ０６０１−２００１）は、０．０４μｍ以下とする。平滑面の最大高さは、より好ましくは、０．０２μｍ以下であるのがよい。
【００４９】
図３に示す実施形態は、１００〜３００ｐｐｉの解像度を持つものであれば、従来の液晶表示装置を利用する医療用ディスプレイにも、あるいは市販の液晶表示装置を医療用ディスプレイとして使用する場合にも適用可能なものであって、ＡＲフィルム１６をＬＣＤ部１４の外側の偏光板３０の外側に接着剤によって貼り付けるものであるが、本発明はこれに限定されず、図５に示すように、偏光板３０の支持体層３８およびＨＣ層４０と、ＡＲフィルム１６の支持体層４４およびＨＣ層４６とをそれぞれ共用して、偏光板３０とＡＲフィルム１６とを一体的に製造したＡＲ層４８を持つ新規な偏光板５６をＬＣＤ部１４のガラス基板２８に接着層３２を介して接着するようにしても良い。
すなわち、すでに偏光板３０が貼り付けられたＬＣＤ部（ＬＣＤパネル）１４の完成品に、後からＡＲフィルム１６を接着層３２を介して貼り合せるものであるが、このＡＲフィルム１６を偏光子（偏光膜３６）の表面保護フィルムの片側として用いた偏光板５６を製作しても良い。こうすることにより、ＬＣＤパネル１４の製造工程でＡＲ性能を付与することが可能である。
【００５０】
図５に示す偏光板５６は、接着層３２を介してガラス基板２８に接着され、ガラス基板２８（接着層３２）の側から外側に向かって、支持体層３４と、偏光膜３６と、支持体層３８と、ＨＣ層４０と、最上層のＡＲ層４８とを有する。従って、偏光板５６は、支持体層３４、偏光膜３６、支持体層３８およびＨＣ層４０からなる図３に示す偏光板３０にＡＲ層４８を形成したもの、例えば塗布したものということができるし、図３に示す偏光板３０の支持体層３８およびＨＣ層４０からなる片側の表面保護フィルムの代りに、ＡＲフィルム１６を形成したものということもできる。
図５に示す実施形態は、本発明の医療用ディスプレイに専用の偏光板５６を製造して、医療用ディスプレイに組み込む必要があるが、図３に示す実施形態に比べ、介在する層が少なくできるので、表示画像の濃淡のダイナミックレンジを広くとることができ、診断画像として適正な画像を表示することができる。
【００５１】
上述した各実施形態は、ＡＲ層４８またはＡＲフィルム１６をディスプレイ１０の表面に設ける、ＬＣＤ部１４の偏光板をＡＲ層４８を最上層に持つ偏光板５６とする、またはＬＣＤ部１４の表面に張り付けるものであるが、本発明はこれに限定されず、図６（ｂ）に示すように、透明なアクリル板などの保護パネル６４の両表面（表裏面）にＡＲフィルム１６を接着剤層を介して貼り付けた保護パネルアセンブリ６２を、図６（ａ）に示すように、医療用ディスプレイ６０の表示画面表面、すなわち、ＬＣＤ部１４の表面に接触させずに、所定間隔を空けて取り付けるようにしても良い。
【００５２】
図６（ａ）および（ｂ）に示す医療用ディスプレイ６０では、ＡＲフィルム１６を、保護パネル６４の両表面に接着剤で貼り付けているが、本発明はこれに限定されず、ＡＲ層４８を、透明な保護パネル６４の両表面に形成、例えば塗布して、保護パネルアセンブリ６２を製造しても良い。
【００５３】
ところで、後述するが、医療用ディスプレイシステムにおいて、医療用ディスプレイ１０または６０を、ＤＩＣＯＭのＧＳＤＦに階調補正する（キャリブレーション）時に、医療用ディスプレイの輝度に加え、環境光または外光に依存する医療用ディスプレイの表面反射輝度（以下、周囲光反射輝度ともいう）をも取り込んで階調補正テーブルを作成する。周囲光反射輝度を正確に測定するには、望遠輝度計が必要である。しかし、望遠輝度計は、取り扱いが面倒なので、簡易的に接触型輝度計を使用することもある。サービスマンやメンテナンスマンにより、定期的に望遠輝度計で周囲光反射輝度を測定し、日常的には、接触型輝度計に対して周囲光反射輝度補正した値を使用するのが好ましい（本出願人に係る特願２００３−０２６８４３号明細書参照）。
この時、ＬＣＤ部（パネル）１４の表面に接触型輝度計を直接接触させて使用すると、圧力によりＬＣＤ部（パネル）１４の歪みが生じ、表示輝度が変動するので、図６（ａ）に示すように、保護パネル６４または保護パネルアセンブリ６２をＬＣＤ部（パネル）１４の前面に所定間隔を空けて設けることが望ましい。保護パネル６４を設ける場合には、保護パネル６４にＡＲフィルム１６を貼り付けたり、ＡＲ層４８を保護パネル６４上に形成して、ＡＲ性能を付与しておく必要があるのはいうまでもない。
【００５４】
従って、ＬＣＤ部１４の表面から保護パネル６４または保護パネルアセンブリ６２を離間させる間隔は、接触型輝度計を保護パネル６４または保護パネルアセンブリ６２に直接接触させて使用した場合にも、ＬＣＤ部（パネル）１４に歪みが発生せず、表示輝度が変動しない間隔であれば良い。しかし、観察のためには余り離れていない方が良いので、例えば、２〜２０ｍｍの範囲から、保護パネル６４の剛性によって適切な間隔を選択すれば良い。通常は、５〜２０ｍｍ程度で良いが、保護パネル６４の剛性が高い場合には、２〜１０ｍｍとしても良い。
【００５５】
本発明に用いられるＡＲフィルム１６は、図３に示すようにＬＣＤ部（パネル）１４の偏光板３０に貼り付けて用いた場合や、図５に示すように、偏光子の表面保獲フィルムの片側として用いた場合には、ツイステットネマチック（ＴＮ）、スーパーツイステットネマチック（ＳＴＮ）、バーティカルアライメント（ＶＡ）、インプレインスイッチング（ＩＰＳ）、オプチイカリーコンペンセイテットベンドセル（ＯＣＢ）等のモードの、医療用ディスプレイに適用可能な透過型、反射型、または半透過型の液晶表示装置（ＬＣＤ）に好ましく用いることができる。また、透過型または半透過型の液晶表示装置に用いる場合には、市販の輝度向上フィルム（偏光選択層を有する偏光分離フィルム、例えば住友３Ｍ（株）製のＤ−ＢＥＦなど）と併せて用いることにより、さらに視認性の高い表示装置を得ることができる。
【００５６】
また、図６（ａ）および（ｂ）に示すように、透過型、反射型および半透過型の液晶表示装置において液晶セルの全面に空気を介してアクリル板等の保護パネル（前面板）を配する場合には、液晶セル表面側の偏光板だけでなく、保護パネル（前面板）の内側および／または外側に粘着剤等を介して貼り付けることは、界面の反射を低減することができるために好ましい。また、λ／４板と組み合わせることで、反射型または半透過型のＬＣＤや、有機ＥＬディスプレイ用表面保護板として用いることができる。さらに、ＰＥＴ、ＰＥＮ等の透明支持体上に上記のＡＲ層を形成して、プラズマディスプレイパネル（ＰＤＰ）や陰極管表示装置（ＣＲＴ）のような画像表示装置に適用できる。
本発明の医療用ディスプレイは、基本的に以上のように構成される。
【００５７】
本発明の医療用ディスプレイにおいては、医療用ディスプレイの品質管理（ＱＣ”ｑｕａｌｉｔｙ  ｃｏｎｔｒｏｌ”  ）のために、特に好ましくは、ＤＩＣＯＭのＧＳＤＦに上述した医療用ディスプレイを階調補正（キャリブレーション）する時、医療用ディスプレイの輝度に加え、周囲光反射輝度  （電源オフ時の環境光に依存する表面反射輝度）をも取り込んで階調補正テーブルを作成するために、医療用ディスプレイの輝度に加え、周囲光反射輝度を正確に測定する必要がある。
このため、本発明の医療用ディスプレイは、その輝度に加え、周囲光反射輝度を正確に測定するための輝度計を備えた医療用ディスプレイシステムとして構成しておくのが良い。このような医療用ディスプレイシステムを図７に示す。
【００５８】
同図に示す医療用ディスプレイシステム（以下、単に、システムという）７０は、上述したディスプレイ１０と、輝度計７２とを有し、ディスプレイ１０は、ＬＣＤ部１４と、ＡＲフィルム１６と、バックライト部  （図示省略、図１参照符号１２参照）と、表示制御部７４とを有する。
図７示す例においては、本システム７０は、ディスプレイ１０を有するものであり、以下では、ディスプレイ１０を代表例として説明するが、本発明は、これに限定されず、本発明の医療用ディスプレイに適用可能な画像表示装置であればどのようなものであっても良く、例えば、図６に示すディスプレイ６０はもちろん、上述した種々の形態の画像表示装置を挙げることができる。
【００５９】
輝度計７２は、医療用ディスプレイ１０の表示輝度に加え、周囲光反射輝度を正確に測定する、すなわちディスプレイ１０のＬＣＤ部１４の電源オン（バックライト部点灯）時の表示画面の表示輝度（テストパターン表示時の各部の輝度）、すなわち本発明（本システム７０）ではＡＲフィルム１６を通しての表示輝度、特に最高輝度や最低輝度等、および電源オフ（バックライト消灯）時（非表示時）の表示画面の表面反射輝度（以下、周囲光反射輝度ともいう）、すなわち本発明ではＡＲフィルム１６の表面反射輝度を測定するためのものである。
ここで、輝度計７２は、本発明に適用可能な医療用ディスプレイの種類等に応じた公知の輝度計を用いればよいが、周囲光反射輝度も含めてディスプレイの輝度を正確に測定するには、望遠型輝度計が好ましい。特に、例えば、上述したように、ディスプレイ１０等の液晶表示装置（ＬＣＤ）や有機ＥＬ等のようなＥＬＤやＰＤＰ等のように、表示画面への接触型輝度計の取付が表示画像に影響を与える場合には、望遠型輝度計を用いるべきである。
【００６０】
一方、ＣＲＴのように、輝度計を取り付けても表示画像に影響を与えない場合には、望遠輝度計は、取り扱いが面倒なので、望遠型輝度計より取り扱いが簡単で、簡易的な接触型輝度計を用いることができる。なお、ＬＣＤやＥＬＤやＰＤＰであっても、図６に示すディスプレイ６０のように保護パネルアセンブリ６２をディスプレイの筐体に取り付ける場合や、図１に示すディスプレイ１０の筐体に保護パネル６２を取り付ける場合などには、接触型輝度計を用いることができる。
なお、ディスプレイの輝度測定に簡易的に接触型輝度計を使用する場合においては、測定値をそのまま用いても良いが、メンテナンス時や定期的なキャリブレーション時にサービスマンやメンテナンスマンにより望遠輝度計で周囲光反射輝度を測定するようにしておき、日常的なキャリブレーション時には、接触型輝度計で測定し、この測定値を接触型輝度計に対して望遠輝度計による周囲光反射輝度補正した値を使用するようにするのがより好ましい。
こうすることにより、常に正確な輝度測定結果を得ることが可能なディスプレイの輝度測定方法を実現でき、ディスプレイの設置環境に基づく環境光（周囲光）の明るさに起因する測定値のずれに対しても、測定値に適切な補正を加えることが可能なディスプレイの輝度測定方法を実現できる（詳細に付いては、本出願人に係る特願２００３−０２６８４３号明細書参照）。
【００６１】
なお、本発明では、図７に示す例のように、輝度計７２とディスプレイ１０（表示制御部７４）とがオンライン接続され、ディスプレイ１０がその表示画面への輝度測定用テストパターンの表示と同期して輝度測定する機能を有するのが好ましいが、このような機能は、後述する表示制御部７４の輝度計制御部７６によって達成することができる。
また、図７に示す例においては、輝度計７２とディスプレイ１０（表示制御部７４）とは、オンラインで接続されているが、本発明は、これに限定はされず、例えば、ディスプレイ１０とオンライン接続されていない輝度計でディスプレイ１０の輝度を測定し、その測定結果を、キーボード等を用いてディスプレイ１０の表示制御部７４に入力する構成としても良い。
【００６２】
表示制御部７４は、ＬＣＤ部１４の表示画像のキャリブレーション等も含め、ＬＣＤ部１４への画像表示を制御する部分であって、輝度計制御部７６と、測定データ判定部（以下、単に判定部という）７８と、測定データおよび判定結果メモリ（以下、単にメモリという）８０と、階調補正部８２と、テストパターン発生部８４と、デ−タ処理部８６と、ドライバ８８とを有する。
【００６３】
ここで、輝度計制御部７６は、輝度計７２、ディスプレイ１０のバックライト部、テストパターン発生部８４およびドライバ８８を制御して、ディスプレイ１０の電源オフ時の表面反射輝度  （周囲光反射輝度）および電源オン時の表示輝度（以下、単に表示輝度ともいう）を測定する機能を備えるものである。図示例の輝度計制御部７６は、ディスプレイ１０のＬＣＤ部１４のバックライト部の電源をオフして、バックライト部を消灯し、輝度計７２によってＬＣＤ部１４上のＡＲフィルム１６の表面反射輝度を周囲光反射輝度として測定するとともに、バックライト部を点灯し、ドライバ８８によって、テストパターン発生部８４によって発生されたテストパターンデータに従ってＬＣＤ部１４を駆動して輝度測定のためのテストパターン  （テストチャート）を表示させ、ＬＣＤ部１４に表示された輝度測定用テストパターン（その各部、すなわち各テストチャート）の表示輝度を輝度計７２によって測定する。なお、図７に示す例のように、輝度計７２とディスプレイ１０（表示制御部７４）とがオンライン接続されている場合には、輝度計制御部７６は、ディスプレイ１０がその表示画面への輝度測定用テストパターンの表示と同期して輝度計７２による輝度測定を行うのが好ましい。
【００６４】
判定部７８は、ディスプレイのＱＣを行うために、輝度計７２によって測定された電源オフ時の表面反射輝度および電源オン時の表示輝度（最高輝度、最低輝度など）の測定データを判定するためのものである。
例えば、判定部７８は、ＱＣの管理項目が不変性試験である場合には、測定データが、初期値、すなわち表面反射輝度や表示輝度（最高輝度、最低輝度など）の初期値に対してどの程度変化したか、すなわち、初期値からの変化率や変化量を算出して、算出された変化率や変化量が、予め設定された許容範囲内にあるかどうかの判定を行う。
また、この判定部７８は、上述の不変性試験における測定データの判定結果が許容範囲を外れている場合や、許容範囲内であっても予め設定されている場合、例えば、最高輝度と最低輝度の変化量や変化率のバランスが崩れている場合に相当する時には階調補正が必要であると判定するように構成されていても良い。
【００６５】
上述のようにして、輝度計７２によって測定された周囲光反射輝度および表示輝度（最高輝度、最低輝度）等の測定データ、およびこれらの測定データに基づいて判定部７８によって判定された判定結果は、判定部７８から表示データとしてデータ処理部８６に送られ、駆動信号に変換されてドライバ８８送られ、ドライバ８８によって表示データとしてＬＣＤ部１４に表示される。従って、表示制御部７４の判定部７８は、このような測定データおよび判定結果をディスプレイに表示させる機能をも有する。なお、測定データおよび判定結果をディスプレイに表示するばかりでなく、プリンタ等（図示せず）によってハードコピーとして出力しても良い。
なお、図示例では、これらの測定データおよび判定結果は、医療用画像を表示するためのディスプレイ１０のＬＣＤ部１４に表示しているが、本発明はこれに限定されず、他のディスプレイ、例えば、他の医療用ディスプレイや管理用のディスプレイや管理用のＰＣ（パーソナルコンピュータなど）のモニタ  （ディスプレイ）に表示しても良い。
【００６６】
メモリ８０は、輝度計７２による周囲光反射輝度および表示輝度（最高輝度、最低輝度）等の測定データ（すなわち輝度測定結果）および判定部７８による判定結果（すなわち品質管理結果）、さらには階調特性の結果、ならびにこれらの履歴を保存する機能を有するものである。このメモリ８０に保存された輝度測定結果、品質管理結果、階調特性の結果およびこれらの履歴は、必要に応じて、読み出して表示することができるし、ハードコピーとして出力することもできる。
【００６７】
階調補正部８２は、医療用診断画像をＬＣＤ部１４に適正な輝度および所定の階調で表示させるためのものである。階調補正部８２は、医療用診断画像の画像データを所定の輝度および階調（階調特性）の画像データに、好ましくはＤＩＣＯＭのＧＳＤＦに準拠した輝度値を持つ階調データに階調補正するための階調補正テーブル（ＬＵＴ）を作成または校正  （キャリブレーション）するとともに、この階調補正テーブルを保持し、保持している階調補正テーブルを用いて、外部の医療用測定（画像撮影診断）装置等から供給された医療用診断画像の画像データを所定の階調特性（ＤＩＣＯＭのＧＳＤＦ）の画像データに変換する。
【００６８】
例えば、ＤＩＣＯＭのＧＳＤＦに階調補正する場合には、階調補正部８２は、ディスプレイ１０の周囲光表面反射輝度およびその表示テストパターンの各部  （例えば、グレースケール）を表示するのに必要な入力画像データの大きさと、ディスプレイ１０に表示されたテストパターンの各部  （グレースケール）の表示輝度の測定データの大きさとの関係を階調特性（以下、測定階調特性という）として求め、求めた測定階調特性とＤＩＣＯＭのＧＳＤＦの階調特性とを比較して、テストパターンの各部（グレースケール）の階調特性がＧＳＤＦの階調特性となるように、階調補正テーブルを作成する。階調補正部８２では、この階調補正テーブルを作成する際には、テストパターンの各部  （グレースケール）間の特性値は、補間、例えば線形補間や２次補間等によって求めることができる。
【００６９】
次に、階調補正部８２は、こうして作成された階調補正テーブルを用いて、テストパターン発生部８４で発生されたテストパターンデータを階調補正し、得られた階調補正テストパターンデータをデータ処理部８６でＬＣＤ部１４の駆動信号に変換し、ディスプレイ１０のＬＣＤ部１４にテストパターンを表示させる。この後、ディスプレイ１０に表示されたテストパターンの表示輝度を再度測定し、ディスプレイ１０の測定階調特性を求め、得られた測定階調特性とＧＳＤＦの階調特性とを比較する。
【００７０】
このとき、測定階調特性が所定の誤差範囲でＧＳＤＦの階調特性であれば、階調補正テーブルの校正（キャリブレーション）を終了する。
一方、測定階調特性が所定の誤差範囲でＧＳＤＦの階調特性でなければ、上述の如く、測定階調特性が所定の誤差範囲でＧＳＤＦの階調特性となるまで、階調補正テーブルの校正（キャリブレーション）を繰り返し行う。
こうして、階調補正部８２は、適正な階調補正のための階調補正テーブルの作成または校正  （キャリブレーション）を行うことができる（ディスプレイの不変性試験や校正等のＱＣの詳細に付いては、本出願人に係る特願２００２−３３２３３５号明細書参照）。このような医療用ディスプレイの品質管理を行うことにより、どのような医療用ディスプレイシステムにおいても、常に安定して、表示画像の画像データに応じた最適な画像を観察することができる。
【００７１】
なお、ＤＩＣＯＭでは、ディスプレイの表示階調をＧＳＤＦの階調特性に補正する場合には、ディスプレイの最大輝度の２０％の輝度を背景として、その各部（グレーパッチ）を表示したテストパターンを用いることを規定しているので、初めに、ディスプレイに表示されたテストパターンを表示し、表示されたテストパターンをプレ測定し、ディスプレイの最大輝度の２０％の輝度レベルを検出して、この輝度レベルが背景となるようにテストパターンを表示し直し、階調補正テーブルの作成または校正  （キャリブレーション）のための輝度測定を行うのが好ましい。こうすることにより、自動輝度測定および校正  （キャリブレーション）を行うことができる（詳細に付いては、本出願人に係る特願２００２−３７４５８８号明細書参照）。こうすることにより、医療用ディスプレイの輝度測定において、表示輝度で規定したテストパターン等を表示することができ、例えば、ＤＩＣＯＭのＧＳＤＦ階調に対応する階調補正テーブルを作成する場合に、正確な輝度測定を行って階調補正テーブルを作成して、目的とする階調特性で適正な画像表示を行うことができる。
【００７２】
テストパターン発生部８４は、ディスプレイ１０のＱＣに必要なテストパターンをディスプレイ１０に表示させるために、テストパターンデータを発生させるためのものである。テストパターン発生部８４が発生するテストパターンとしては、上述した不変性試験や校正用テストパターンに限定されず、例えば、ＪＩＳＺ４７５２−２−５で規定されたグレースケール再現性評価のためのグレースケールパターン、解像度再現性評価のための解像度パターン、画像歪みを評価するための画面歪みパターン、カラーの再現性評価のためのカラーパターン、目視試験用のＳＭＰＴＥ  ＲＰ（Ｒｅｃｏｍｍｅｎｄｅｄ  Ｐｒａｃｔｉｃｅ）−１３３で規定されたＳＭＰＴＥパターン等を挙げることができる。
【００７３】
データ処理部８６は、テストパターン発生器８４で発生されたテストパターンデータや、医療用測定（画像撮影診断）装置等から供給された医療用診断画像の画像データや、輝度計７２による測定データおよび判定部７８による判定結果をＬＣＤ部１４に表示するために、ＬＣＤ部１４を駆動するためのドライバ８８に送る駆動信号に変換するためのものである。
ドライバ８８は、データ処理部８６から供給された駆動信号に応じてＬＣＤ部１４を変調駆動して、ＬＣＤ部１４にテストパターンや、医療用診断画像や、輝度測定データや、判定結果を表示させるためのものである。
本発明の医療用ディスプレイは、基本的に以上のように構成される。
【００７４】
【実施例】
本発明を実施例に基づいて以下に具体的に説明する。
（実施例１）
以下のようにして、本発明の医療用ディスプレイ１０に適用されるＡＲフィルム１６を作成した。なお、いずれのＡＲフィルムにおいても、塗布は、グラビアコータで行った。
【００７５】
まず、第１工程において、トリアセチルセルロースフィルム（ＴＡＣ−ＴＤ８０Ｕ、富士写真フィルム（株）製）の透明支持体（屈折率＝１．４９、厚さ＝８０μｍ）４４の上に、シリカフィラと紫外線硬化性アクリル樹脂を含有する塗布液を塗布し、乾燥および紫外線照射による硬化を経て、ハードコート層（屈折率＝１．５１、膜厚＝６μｍ）４６を形成した。
次に、第２工程では、ハードコート層４６の上に、コールター法で測定した平均粒径が４２ｎｍになるまで分散した二酸化チタン分散物と紫外線硬化性アクリル樹脂を含有する塗布液を塗布し、乾燥および紫外線照射による硬化を経て、中屈折率層（屈折率＝１．６３、膜厚＝６７ｎｍ）５０を形成した。
【００７６】
次に、第３工程では、中屈折率層５０の上に、第２工程より二酸化チタンの重量比を増やした第２工程と同様の塗布液を塗布し、乾燥および紫外線照射による硬化を経て、高屈折率層（屈折率＝１．９０、膜厚＝１０７ｎｍ）５２を形成した。
最後に、第４工程では、高屈折率層５２の上に、熱硬化性フッ素ポリマーとシリカゾルを含有する塗布液を塗布し、加熱による硬化を経て、低屈折率層（屈折率＝１．４３、膜厚＝８６ｎｍ）５４を形成した。
こうして、本発明の医療用ディスプレイ１０に適用されるＡＲフィルム１６が作成された。また、このＡＲフィルムの表面粗さをＡＦＭ（Ａｔｏｍｉｃ  Ｆｏｒｃｅ  Ｍｉｃｒｏｓｃｏｐｅ  ：原子間力顕微鏡）で測定したところ、Ｒａ＝０．００５μｍ以下、Ｒｚ＝０．０１μｍ以下であった。
【００７７】
こうして作成された実施例１のＡＲフィルム１６の設計式に対する各屈折率層の屈折率ｎと層厚ｄの妥当性を、設計波長λが５００ｎｍである場合について検証した。
▲１▼中屈折率層５０のｎｄ（ｎ１×ｄ１）は、１０９．２１であり、
λ／４×０．８０（＝１００）＜ｎｄ（＝１０９．２１）＜λ／４×１．００（＝１２５）
となり、上記式（Ｉ）を満足する。
▲２▼高屈折率層のｎｄ（ｎ２×ｄ２）は、２０３．３であり、
λ／２×０．７５（＝１８７．５）＜ｎｄ（＝２０３．３）＜λ／２×０．９５（＝２３７．５）
となり上記式（ＩＩ）を満足する。
▲３▼低屈折率層
λ／４×０．９５（＝１１８．７５）＜ｎｄ（＝１２２．９８）＜λ／４×１．０５（＝１３１．２５）
となり上記式（ＩＩＩ）を満足する。
【００７８】
（比較例１）
物理蒸着法により、実施例１のハードコート層４６上に、順次、酸化チタン（屈折率＝２．３９、膜厚＝２５ｎｍ）と酸化ケイ素（屈折率＝１．４７、膜厚＝２５ｎｍ）の２層からなる実質上中屈折率層、酸化チタン（膜厚＝４６ｎｍ）からなる高屈折率層、酸化ケイ素（膜厚＝９７ｎｍ）からなる低屈折率層を形成し、ＡＲフィルムを作成した。
【００７９】
次に、実施例１および比較例１のＡＲフィルム単体での評価を行った。
分光光度計Ｖ−５５０（日本分光（株）製）にアダプタＡＲＶ−４７４を装着して、３８０〜７８０ｎｍの波長領域において、入射角５度における出射角−５度の鏡面反射率を測定し、図８に示すとともに、４５０〜８５０ｎｍの平均反射率を算出し、反射防止性を評価した。さらに、測定された反射スペクトルから、ＣＩＥ標準光源Ｄ６５の５度入射光に対する正反射光の色味を表わすＣＩＥ１９７６Ｌ＊  ａ＊  ｂ＊  色空間のＬ＊  値、ａ＊  およびｂ＊  値を算出し、反射光の色味を評価した。その評価結果を表１に示す。
【００８０】
【表１】
2004295055.tif 000002
【００８１】
表１に示すように、４５０〜８５０ｎｍの平均反射率は、実施例１のＡＲフィルムで０．２８％であり、比較例１のＡＲフィルムで０．３３％であり、両者ともに低く、０．４％以下であり、写り込み性能は、どちらも良好であった。しかし、色味はａ＊  およびｂ＊  値で、実施例１のＡＲフィルムではそれぞれ２および−６であり、図９の領域Ａ１  （本発明の限定領域）内であるのはもちろん、領域Ａ１の内側にある領域Ａ２（本発明の好ましい限定範囲）内であり、ＯＫ（合格）であったが、比較例１のＡＲフィルムではそれぞれ９および−１０であり、領域Ａ１の外にあり、ＮＧ（不合格）となった。
以上の結果から、実施例１のＡＲフィルムでは、低反射率と色味低減が両立でき、好ましい反射特性となったことが判る。
【００８２】
実施例２として、こうして作成した実施例１のＡＲフィルム１６をモノクロ液晶表示装置（ＬＣＤ）に取り付けて評価した。
現在、医療用ＬＣＤモニタとして、使用されているナナオ製ＦＣ−２０９０：ＡＧ（防眩）性が付与されていないモノクロＬＣＤ（パネルサイズ２０．８”、画素数ＱＸＧＡ＝２０４８×１５３６、ピクセルサイズ２０７μｍ（＝１２３ｐｐｉ）、１つのピクセル内に３つのモノクロサブピクセルを有する、ＩＰＳ：横電界方式）の表面に、実施例１のＡＲフィルム１６を粘着材を介して貼り合わせた。
比較のために、実施例１のＡＲフィルムを取り付けていないモノクロＬＣＤ、すなわち、実施例２と同じＬＣＤパネルで表面処理のみ異なるタイプとして、ＡＧ性が付与されていないのみの現行モノクロＬＣＤ（比較例２）、ＡＲフィルムのかわりにＡＲ性を付与していないＡＧフィルム（表面粗さ：Ｒａ（算術平均高さ）＝０．０８〜０．１５μｍ、Ｒｚ（最大高さ）＝０．７〜１．２μｍ）を取り付けたモノクロＬＣＤ（比較例３）についても評価した。
【００８３】
実施例２、比較例２および３の医療用ＬＣＤモニタにＣＲやＣＴ等の医用画像を表示して、目視にて表示された医用画像における写り込み、色味、周囲光による白味  （黒浮き）、ぎらつき、多重画像感、鮮鋭さおよび鮮明さを評価した。
その評価結果を表２に示す。
なお、表２において、写り込みの評価は、観察者自身の写り込みが気にならなければ○、はっきりわかれば×とした。色味の評価は、着色が無くニュートラルであれば○、着色があれば×とした。周囲光による白味  （黒浮き）の評価は、白味（黒浮き）がなければ○、少し認められれば△、白味がはっきりと認められれば×とした。ぎらつきの評価は、ぎらつきがなければ○、ぎらつきがあれば×とした。多重画像感の評価は、多重画像感がなければ○、多重画像に見えれば×とした。鮮鋭さおよび鮮明さの評価は、ボケがなく鮮明であれば○、ボケ気味であれば△、ボケがあり不鮮明であれば×とした。
【００８４】
【表２】
2004295055.tif 000003
【００８５】
表２の結果から、現行の医療用ＬＣＤモニタである比較例２では、図１０（ｂ）に示すように、ＬＣＤ部１４（偏光板３０、図２参照）の表面は平坦で、表面反射率が高く、入射光が反射されるため、色味、周囲光による白味  （黒浮き）、ぎらつき、多重画像感、鮮鋭さおよび鮮明さについては、良好であったが、観察者自身の写り込みがはっきりわかるため、表示画像が見難く、比較例３では、図１０（ｃ）に示すように、ＬＣＤ部１４（偏光板３０、図２参照）の表面は微細な凹凸があり、入射光が乱反射されて散乱されるため、観察者自身の写り込みが気ぼかされるのでにならないし、色味も着色がなくニュートラルであるが、周囲光による白味が少し認められ、ぎらつきおよび多重画像感があり、鮮鋭さおよび鮮明さもボケ気味で不良であり、表示画像の読影がしづらいことが判る。
【００８６】
これに対し、実施例２においては、図１０（ａ）に示すように、ＬＣＤ部１４（偏光板３０）上に貼り付けられたＡＲフィルム１６の表面反射率が０．４％以下と低く、ＡＲフィルム１６によって入射光の反射が低減されるために、観察者自身の写り込みが気にならないレベルとなり、色味も着色が無くニュートラルであり、周囲光による白味、ぎらつきおよび多重画像感もなく、鮮鋭さおよび鮮明さも良好であり、良好な反射性能であることが判る。
これにより、実施例２の医療用ＬＣＤモニタは、長時間の読影にも疲れない、クリアでフィルムライクな画像が得られ、診断等に使用する医療用ディスプレイとして非常に良好なディスプレイとなることが判る。
【００８７】
以上、本発明の医療用ディスプレイおよびこれを用いる医療用ディスプレイシステムについて種々の実施形態を挙げて詳細に説明したが、本発明は、以上の実施形態に限定されるものではなく、本発明の要旨を逸脱しない範囲において、各種の改良や変更を行ってもよいのはもちろんである。
【００８８】
【発明の効果】
以上詳述したように、本発明によれば、平坦、例えば、所定の平坦度である、すなわち、防眩性が付与されておらず、低鏡面反射率と色味の低減とを両立させることのできる性能の良い反射防止フィルムを、１００〜３００ｐｐｉの高精細なマトリクス型ディスプレイに用いることにより、写り込みや着色のない、長時間の読影にも疲れない、クリアでフィルムライクで高画質な画像を診断画像として表示することのできる、診断等に使用するために非常に良好な医療用ディスプレイを低コストで実現することができる。
また、本発明によれば、このような医療用ディスプレイの画像表示において正確な輝度測定を行うことができ、正確な階調補正、たとえば、ＤＩＣＯＭのＧＳＤＦの階調特性に階調補正することができるので、この医療用ディスプレイに長時間の読影にも疲れない、クリアでフィルムライクで高画質な画像表示画像を診断画像として安定的に表示することができる医療用ディスプレイシステムを提供することができる。
【図面の簡単な説明】
【図１】本発明に係る医療用ディスプレイの一実施形態の側面模式図である。
【図２】図１に示す医療用ディスプレイの液晶表示部の一実施形態の断面模式図である。
【図３】図１に示す医療用ディスプレイの一実施形態の要部の層構造を示す断面模式図である。
【図４】図３に示す医療用ディスプレイの防眩性フィルムの一実施形態の層構造を示す断面模式図である。
【図５】本発明に係る医療用ディスプレイの別の実施形態の要部の層構造を示す側面模式図である。
【図６】（ａ）は、本発明に係る医療用ディスプレイの別の実施形態の側面模式図であり、（ｂ）は、（ａ）に示す医療用ディスプレイの保護パネルアセンブリの一実施形態の断面模式図である。
【図７】本発明に係る医療用ディスプレイシステムの一実施形態の構成を模式的に示す説明図である。
【図８】本発明の実施例１および比較例１の防眩性フィルムの波長に対する反射率のグラフである。
【図９】本発明の実施例１および比較例１の防眩性フィルムの色味を、ＣＩＥ１９７６Ｌ＊  ａ＊  ｂ＊  色空間のａ＊  ｂ＊  平面において示すグラフである。
【図１０】（ａ）、（ｂ）および（ｃ）は、それぞれ本発明の実施例２、比較例２および比較例３の医療用ディスプレイの表面状態および入射光の反射状態を説明するための説明図である。
【符号の説明】
１０，６０  医療用ディスプレイ
１２  バックライト部
１２ａ  ランプ収納部
１２ｂバックライトアセンブリ
１６  反射防止フィルム（ＡＲフィルム）
１４  液晶表示部（ＬＣＤ部）
１８，３０  偏光板
２０，２８  ガラス基板
２２，２６  電極
２４  液晶層
３２  接着層
３４，３８  支持体層
３６  偏光膜
４０  ハードコート層（ＨＣ層）
４２  接着層
４４  透明支持体層
４６  ハードコート層（ＨＣ層）
４８  ＡＲ層
５０  中屈折率層
５２  高屈折率層
５４  低屈折率層
５６  偏光板
５８  条件設定部
６２  保護パネルアセンブリ
６４  保護パネル
７０  医療用ディスプレイ
７２  輝度計
７４  表示制御部
７６  輝度計制御部
７８  測定データ判定部
８０  測定データおよび判定結果メモリ
８２  階調補正部
８４  テストパターン発生部
８６  デ−タ処理部
８８  ドライバ
【図１】
2004295055.tif 000004
【図２】
2004295055.tif 000005
【図３】
2004295055.tif 000006
【図４】
2004295055.tif 000007
【図５】
2004295055.tif 000008
【図６】
2004295055.tif 000009
【図７】
2004295055.tif 000010
【図８】
2004295055.tif 000011
【図９】
2004295055.tif 000012
【図１０】
2004295055.tif 000013